(57)【要約】【課題】複数の異なる送信側無線端末に対し、送信側無線端末ごとあるいはチャネル特性の近い伝送路を通る信号ごとに、受信成功の可能性が高く、安定した等化特性の等化器を優先的に使用する受信装置を提供する。【解決手段】等化特性の異なる複数の等化器１０６−１〜１０６−ｎと、各等化器１０６−１〜１０６−ｎの次段の復調器１０７−１〜１０７−ｎ、復号器１０８−１〜１０８−ｎ、誤り判定器１０９−１〜１０９−ｎを設ける。制御器１１０は、複数の等化器１０６−１〜１０６−ｎの中から、使用優先度の情報を参照して１以上の等化器を選択して、受信信号の等化を行う。また、制御器１１０は、誤り判定器１０９−１〜１０９−ｎの判定出力を基に、受信成功の判定結果を得た信号の検出頻度もしくは検出タイミングまたは等化器の受信成功頻度の少なくとも一つを利用して、使用優先度の情報を更新する。【選択図】図１
2010283667.tif 000002
【特許請求の範囲】
【請求項１】
受信信号を蓄積する受信信号蓄積器と、
前記受信信号蓄積器に蓄積された受信信号から所望信号を検出する所望信号検出器と、
等化特性の異なる複数の等化器と、
前記複数の等化器の中から１以上の等化器を選択する等化器選択器と、
等化された受信信号を復調する複数の復調器と、
復調された受信データを復号する複数の復号器と、
復号された受信データの誤り判定を行う複数の誤り判定器と、
前記受信信号蓄積器および前記等化器選択器を制御する制御器とを備え、
前記制御器は、前記所望信号検出器の入力受信信号の判定結果を基に、受信成功の判定結果を得た無線システムあるいは無線端末からの信号の検出頻度もしくは検出タイミングまたは等化器の受信成功頻度の少なくとも一つを利用して算出される使用優先度の情報を参照して、前記複数の等化器の中から１以上の等化器を選択し、
前記入力受信信号を前記選択された等化器で等化し、前記復調器で受信信号を復調し、前記復号器で受信データを復号し、復号された受信データの誤りを前記誤り判定器により判定し、
前記誤り判定器の誤り判定結果に基づいて、前記入力受信信号に対する前記各等化器の等化特性を評価し、前記使用優先度の情報を更新する
ことを特徴とする受信装置。
【請求項２】
前記制御器は、前記使用優先度が基準値以上の等化器を選択し、前記誤り判定器の誤り判定結果から受信成功かどうかを判定し、前記選択した等化器で受信が成功しなければ、前記使用優先度が基準値未満の等化器を選択することを特徴とする請求項１に記載の受信装置。
【請求項３】
前記制御器は、前記使用優先度に基づいて前記複数の等化器に対して優先順位を設定し、前記誤り判定器の誤り判定結果から受信成功と判定されるまで、前記優先順位の高い等化器から順に等化器を選択することを特徴とする請求項２に記載の受信装置。
【請求項４】
さらに、所望信号の周波数特性解析および／または遅延プロファイル解析を行う信号解析器を有し、
前記制御器は、各等化器の周波数特性および／または遅延プロファイル特性に関する情報を登録し、
前記信号解析器で解析された所望信号の周波数特性解析および／または遅延プロファイル解析と、前記登録されている各等化器の周波数特性および／または遅延プロファイル解析について相関値を算出し、前記相関値に基づいて、選択する等化器を決定することを特徴とする請求項１から３の何れかに記載の受信装置。
【請求項５】
さらに、受信信号に応じて適応的に等化係数を更新させて所望の特性に設定できる適応等化器を有し、
前記複数の等化器による等化で受信が成功しなければ、前記適応等化器を用いて等化を行い、前記適応等化器による等化で受信成功であった場合に、当該適応等化器と等化係数パターンを同一に設定した固定等化器を追加することを特徴とする請求項１から４の何れかに記載の受信装置。
【請求項６】
さらに、受信信号の符号化方式および変調方式と同様の符号化および変調を行う再符号化器および再変調器を有し、
受信データ出力を分岐し、復調された受信データを前記再符号化器および前記再変調器により再び符号化および変調して前記適応等化器に対する参照信号を生成し、前記生成された参照信号を用いて前記適応等化器の等化係数を更新することを特徴とする請求項５に記載の受信装置。
【請求項７】
前記適応等化器と等化係数パターンを同一に設定した固定等化器を追加した場合に、前記複数の等化器の中で使用優先度が基準値よりも低い等化器を削除することを特徴とする請求項５または６に記載の受信装置。
【請求項８】
等化器の個数の限度数を設定し、
前記適応等化器と等化係数パターンを同一に設定した固定等化器を追加した場合に、等化器の個数が前記限度数を超えたかどうかを判定し、前記等化器の個数が前記限度数を超えた場合に、前記等化器の個数が前記限度数以下になるように、使用優先度が低いものから順に等化器を削除することを特徴とする請求項７に記載の受信装置。
【請求項９】
受信信号を蓄積するステップと、
前記蓄積された受信信号から所望信号を検出するステップと、
前記所望信号検出器の入力受信信号判定結果を基に、受信成功の判定結果を得た無線システムあるいは無線端末からの信号の検出頻度もしくは検出タイミングまたは等化器の受信成功頻度の少なくとも一つを利用して算出される使用優先度の情報を参照して、前記複数の等化器の中から１以上の等化器を選択するステップと、
前記選択された等化器で等化された受信信号を復調するステップと、
復調された受信データを復号するステップと、
復号された受信データの誤り判定を行うステップと、
前記誤り判定結果に基づいて、前記入力受信信号に対する前記各等化器の等化特性を評価し、前記使用優先度の情報を更新するステップと
を含むことを特徴とする受信信号の等化方法。
【発明の詳細な説明】
【技術分野】
【０００１】
本発明は、複数の異なる無線端末から送信される信号に対し、無線端末ごと、あるいは、チャネル特性の近い伝送路ごとに、受信成功の可能性が高く、安定した等化特性の等化器を優先的に使用する受信装置および受信信号の等化方法に関する。
【背景技術】
【０００２】
複数の異なる無線端末から送信され、それぞれ異なる伝送路を通って受信する信号は、各無線端末の個体差および各伝送路に応じた信号の歪みが生じる。そのため、受信した信号を正しく復調し、復号するためには、無線端末ごとあるいは伝送路ごとに歪みを補正する等化器が必要となる。
【０００３】
従来、固定的に等化係数が設定されているＦＩＲ（Ｆｉｎｉｔｅ  Ｉｍｐｕｌｓｅ  Ｒｅｓｐｏｎｓｅ）フィルタあるいはＩＩＲ（Ｉｎｆｉｎｉｔｅ  Ｉｍｐｕｌｓｅ  Ｒｅｓｐｏｎｓｅ）フィルタで構成される単一の等化器では、補正可能な信号の歪みが限定され、異なる複数の無線端末から送信された信号に生じる様々な信号の歪みを補正できる可能性は低い。そこで、様々な信号の歪みを補正するために、異なる等化特性の複数の等化器を用意し、信号受信時に全ての等化器を使用することで、様々な信号の歪みを補正できる可能性の高い受信装置あるいは等化方法が考えられる。
【０００４】
図１２の従来の受信装置の構成の一例を示す。図１２に示す受信装置では、アンテナ１０で受信した受信信号は、ＲＦ（Ｒａｄｉｏ  Ｆｒｅｑｕｅｎｃｙ）部１１でベースバンド信号に変換され、ＡＤ（Ａｎａｌｏｇ  ｔｏ  Ｄｉｇｉｔａｌ）変換部でデジタル信号に変換される。デジタル信号に変換された受信信号は、並列に接続された等化器１３−１〜ｎの数だけ複製され、等化器１３−１〜１３−ｎにそれぞれ入力される。入力された受信信号は、等化器１３−１〜１３−ｎにおいてそれぞれ異なる等化特性の等化器により等化される。等化された受信信号は、復調部１４−１〜１４−ｎにより復調され、復号器１５−１〜１５−ｎにより復号される。復号された受信データは、誤り判定器１６−１〜１６−ｎにおいてＣＲＣ（Ｃｙｃｌｉｃ  Ｒｅｄｕｎｄａｎｃｙ  Ｃｈｅｃｋ）等によりデータに誤りが含まれるか判定される。ここで誤りが含まれず受信成功の判定結果を得た受信データを選択し、出力することで、正しい受信データを得ることができる。
【０００５】
一方、異なる複数の無線端末から送信された信号に生じる異なる歪みを補正するために、受信側に既知のトレーニング信号あるいは信号内の既知のトレーニング区間を用いて歪みを推定して補正する適応等化器（例えば特許文献１）や、受信側に既知のトレーニング信号あるいは信号内に既知のトレーニング区間を必要とせず、信号の統計的性質を利用して、受信した信号のみから歪みを推定し補正するブラインド適応等化器（例えば非特許文献１）を使用する受信装置あるいは等化方法が考えられている。
【先行技術文献】
【特許文献】
【０００６】
【特許文献１】特開平１１−２０５１９８
【非特許文献】
【０００７】
【非特許文献１】Ｌ．  Ｔｏｎｇ、  Ｇ．  Ｘｕ、  ａｎｄ  Ｔ．  Ｋａｉｌａｔｈ、  ”Ｂｌｉｎｄ  Ｃｈａｎｎｅｌ  Ｉｄｅｎｔｉｆｉｃａｔｉｏｎ  ａｎｄ  Ｅｑｕａｌｉｚａｔｉｏｎ  Ｕｓｉｎｇ  Ｓｅｃｏｎｄ−ｏｒｄｅｒ  Ｓｔａｔｉｓｔｉｃｓ：  Ａ  Ｔｉｍｅ−Ｄｏｍａｉｎ  Ａｐｐｒｏａｃｈ、”  ＩＥＥＥ  Ｔｒａｎｓａｃｔｉｏｎｓ  ｏｎ  Ｉｎｆｏｒｍａｔｉｏｎ  Ｔｈｅｏｒｙ、  ｖｏｌ．  ４０、  ｎｏ．  ２、  ｐｐ．３４０−３４９、  Ｍａｒｃｈ、  １９９４．
【発明の概要】
【発明が解決しようとする課題】
【０００８】
しかしながら、等化特性の異なる複数の等化器を使用する受信装置および等化方法は、並列に等化器を使用することで演算時間は長くならないが、用意した全ての等化器を受信毎に使用すると、使用する等化器の数に応じて、その演算量は膨大なものになってしまう。
【０００９】
また、適応等化器においては、変化する信号の歪みに対して正しく信号の歪みを推定し、正しく補正できる等化特性を維持することが重要であるが、異なる複数の無線端末から信号を受信する場合、無線端末が静止環境あるいは準静止環境にあるような比較的安定した伝送路特性に対しても、無線端末の切り替え時に、信号の歪みを推定し、正しく補正する為の等化係数の更新が頻繁に発生して安定させることができず、演算時間および演算量が膨大なものになってしまう。
【００１０】
本発明は、上述の課題を鑑み、様々な信号の歪みを補正できるように異なる等化特性を持つ複数の等化器の使用において、無線端末ごとあるいはチャネル特性の近い伝送路を通る信号ごとに、受信成功の可能性が高く、安定した等化特性を持つ等化器を優先的に使用し、演算量を低減できる受信装置および受信信号の等化方法を提供することを目的とする。
【課題を解決するための手段】
【００１１】
上述の課題を解決するために、本発明は、受信信号を蓄積する受信信号蓄積器と、受信信号蓄積器に蓄積された受信信号から所望信号を検出する所望信号検出器と、等化特性の異なる複数の等化器と、複数の等化器の中から１以上の等化器を選択する等化器選択器と、等化された受信信号を復調する複数の復調器と、復調された受信データを復号する複数の復号器と、復号された受信データの誤り判定を行う複数の誤り判定器と、受信信号蓄積器および等化器選択器を制御する制御器とを備え、制御器は、所望信号検出器の入力受信信号の判定結果を基に、受信成功の判定結果を得た無線システムあるいは無線端末からの信号の検出頻度もしくは検出タイミングまたは等化器の受信成功頻度の少なくとも一つを利用して算出される使用優先度の情報を参照して、複数の等化器の中から１以上の等化器を選択し、入力受信信号を選択された等化器で等化し、復調器で受信信号を復調し、復号器で受信データを復号し、復号された受信データの誤りを誤り判定器により判定し、誤り判定器の誤り判定結果に基づいて、入力受信信号に対する各等化器の等化特性を評価し、使用優先度の情報を更新することを特徴とする受信装置である。
本発明によれば、異なる等化特性の複数の等化器の中から、無線端末ごと、あるいは、チャネル特性ごとに受信成功の可能性が高い等化特性を持つ等化器を優先して使用することにより演算時間の増加を抑え、演算量を低減することができる。
【００１２】
上記発明において、制御器は、使用優先度が基準値以上の等化器を選択し、誤り判定器の誤り判定結果から受信成功かどうかを判定し、選択した等化器で受信が成功しなければ、使用優先度が基準値未満の等化器を選択することを特徴とする。
本発明によれば、上記発明において、まず、使用優先度が基準値以上の等化器を選択することで、送信頻度の高い無線システムあるいは無線端末からの送信信号に対して、受信成功の可能性が高い等化特性を持つ等化器を優先して使用することにより、演算量を低減することができる。
【００１３】
上記発明において、制御器は、使用優先度に基づいて複数の等化器に対して優先順位を設定し、誤り判定器の誤り判定結果から受信成功と判定されるまで、優先順位の高い等化器から順に等化器を選択することを特徴とする。
本発明によれば、上記発明において等化器に優先順位を設定し、優先順位の最上位の等化器から順に使用することで、送信頻度の高い無線システムあるいは無線端末からの送信信号に対して、受信成功の可能性が高い等化特性を持つ等化器を優先して使用することにより、演算量を低減することができる。
【００１４】
上記発明において、さらに、所望信号の周波数特性解析および／または遅延プロファイル解析を行う信号解析器を有し、制御器は、各等化器の周波数特性および／または遅延プロファイル特性に関する情報を登録し、信号解析器で解析された所望信号の周波数特性解析および／または遅延プロファイル解析と、登録されている各等化器の周波数特性および／または遅延プロファイル解析について相関値を算出し、相関値に基づいて、選択する等化器を決定することを特徴とする。
本発明によれば、所望信号の周波数特性解析および／または遅延プロファイル解析と、各等化器の周波数特性および／または遅延プロファイル解析について相関値を算出し、この相関値に基づいて選択する等化器を決定することで、送信頻度の高い無線システムあるいは無線端末からの送信信号に対して、受信成功の可能性が高い等化特性を持つ等化器を優先して使用することにより、演算量を低減することができる。
【００１５】
上記発明において、さらに、受信信号に応じて適応的に等化係数を更新させて所望の特性に設定できる適応等化器を有し、複数の等化器による等化で受信が成功しなければ、適応等化器を用いて等化を行い、適応等化器による等化で受信成功であった場合に、当該適応等化器と等化係数パターンを同一に設定した固定等化器を追加することを特徴とする。
本発明によれば、適応等化器により補正可能な無線システムに対して、適応等化器を利用して受信成功の可能性の高い固定等化器を生成し、追加することができるため、異なる等化特性の複数の等化器を必ずしも用意する必要がなく、あらかじめ用意することで使用することになる受信成功の可能性の低い固定等化器にかかる演算量を削減することができる。
【００１６】
上記発明において、さらに、受信信号の符号化方式および変調方式と同様の符号化および変調を行う再符号化器および再変調器を有し、受信データ出力を分岐し、復調された受信データを再符号化器および再変調器により再び符号化および変調して適応等化器に対する参照信号を生成し、生成された参照信号を用いて適応等化器の等化係数を更新することを特徴とする。
本発明によれば、上記発明において、取得した受信データを符号化・変調を行い、参照信号を作成し、この参照信号と蓄積された受信信号に基づき、適応等化器で十分なトレーニングを行って等化係数を更新することにより、より受信成功の可能性の高い等化特性を持つ固定等化器を追加することができる。
【００１７】
上記発明において、適応等化器と等化係数パターンを同一に設定した固定等化器を追加した場合に、複数の等化器の中で使用優先度が基準値よりも低い等化器を削除することを特徴とする。
本発明によれば、使用優先度の低い等化器を削除することで、使用する等化器を受信成功の可能性が高い等化器に限定することができ、受信装置の演算量の増加を抑圧できる。
【００１８】
上記発明において、等化器の個数の限度数を設定し、適応等化器と等化係数パターンを同一に設定した固定等化器を追加した場合に、等化器の個数が限度数を超えたかどうかを判定し、等化器の個数が限度数を超えた場合に、等化器の個数が限度数以下になるように、使用優先度が低いものから順に等化器を削除することを特徴とする。
本発明によれば、固定等化器の追加に対し、受信成功の可能性の高い等化器を残しつつ、受信装置の等化器保持数の限度数超過や演算量の増加を抑圧することができる。
【００１９】
本発明は、受信信号を蓄積するステップと、蓄積された受信信号から所望信号を検出するステップと、所望信号検出器の入力受信信号判定結果を基に、受信成功の判定結果を得た無線システムあるいは無線端末からの信号の検出頻度もしくは検出タイミングまたは等化器の受信成功頻度の少なくとも一つを利用して算出される使用優先度の情報を参照して、複数の等化器の中から１以上の等化器を選択するステップと、選択された等化器で等化された受信信号を復調するステップと、復調された受信データを復号するステップと、復号された受信データの誤り判定を行うステップと、誤り判定結果に基づいて、入力受信信号に対する各等化器の等化特性を評価し、使用優先度の情報を更新するステップとを含むことを特徴とする受信信号の等化方法である。
【発明の効果】
【００２０】
本発明によれば、受信成功の判定結果を得た信号の検出頻度もしくは検出タイミングまたは等化器の受信成功頻度の少なくとも一つを利用して算出される使用優先度の情報を参照して、並列に設けられた複数の等化器の中から１以上の等化器を選択して、受信信号の等化を行うようにしている。このように、全ての等化器を用いずに、受信成功の可能性が高い等化特性を持つ等化器を優先して使用することで、演算時間および演算量を低減させることができる。また、入力受信信号を選択された等化器で等化した後、この信号を復調、復号し、誤り判定器で誤りを判定し、誤り判定器の誤り判定結果に基づいて、使用優先度の情報を更新している。このため、チャネル特性の変化等に柔軟に対応でき、安定した等化特性が得られる。
【図面の簡単な説明】
【００２１】
【図１】本発明の第１の実施形態の受信装置の構成を示すブロック図である。
【図２】本発明の第１の実施形態の受信装置の処理手順を示すフローチャートである。
【図３】本発明の第２の実施形態の受信装置の処理手順を示すフローチャートである。
【図４】本発明の第３の実施形態の受信装置の構成を示すブロック図である。
【図５】本発明の第３の実施形態の受信装置の処理手順を示すフローチャートである。
【図６】本発明の第４の実施形態の受信装置の構成を示すブロック図である。
【図７】本発明の第４の実施形態の受信装置の処理手順を示すフローチャートである。
【図８】本発明の第５の実施形態の受信装置の構成を示すブロック図である。
【図９】本発明の第５の実施形態の受信装置の処理手順を示すフローチャートである。
【図１０】本発明の第６の実施形態の受信装置の処理手順を示すフローチャートである。
【図１１】本発明の第７の実施形態の受信装置の処理手順を示すフローチャートである。
【図１２】従来の受信装置における等化処理の説明に用いるブロック図である。
【発明を実施するための形態】
【００２２】
以下、本発明の実施形態について図面を参照して説明する。
Ａ．第１実施形態
図１は、本発明の第１実施形態による受信装置の構成を示すブロック図である。図１に示すように、本発明の第１実施形態に係る受信装置は、アンテナ１００と、ＲＦ部１０１と、ＡＤ変換部１０２と、受信信号蓄積器１０３と、所望信号検出器１０４と、等化器選択器１０５と、等化器１０６−１〜１０６−ｎと、復調器１０７−１〜１０７−ｎと、復号器１０８−１〜１０８−ｎと、誤り判定器１０９−１〜１０９−ｎと、制御器１１０を備えている。
【００２３】
ＲＦ部１０１は、アンテナ１００により受信したＲＦ信号をベースバンド信号に変換し、ＡＤ変換部１０２に出力する。ＡＤ変換部１０２は、入力されたベースバンド信号をアナログ信号からデジタル信号に変換し、変換したデジタル信号を受信信号として受信信号蓄積器１０３に出力する。受信信号蓄積器１０３は、入力された受信信号を蓄積すると共に、この受信信号を所望信号検出器１０４に出力する。また、受信信号蓄積器１０３は、制御器１１０から入力される読み出し通知を受けて、蓄積した受信信号を等化器選択器１０５に出力する。
【００２４】
所望信号検出器１０４は、受信信号の電力、周波数特性のうち少なくとも一つを用いて所望信号を検出し、検出結果を制御器１１０に出力する。出力する検出結果は、例えば、所望信号の有無、到来タイミングを含む。ここで受信信号蓄積器１０３より出力される受信信号は、所望信号検出器１０４における所望信号の到来タイミングに合わせて出力される。
【００２５】
等化器選択器１０５は、制御器１１０の制御により受信信号の出力先である等化器１０６−１〜１０６−ｎ中の少なくとも一つを選択し、受信信号蓄積器１０３から読み出された受信信号を選択している等化器の数だけ複製し、各等化器１０６−１〜１０６−ｎに出力する。
【００２６】
並列に設けられた等化器１０６−１〜１０６−ｎは、ＦＩＲフィルタあるいはＩＩＲフィルタで構成され、等化係数はそれぞれ異なる伝搬路、異なる送信機および受信機によって受ける信号の歪み（例えばチャネル応答や線形／非線形歪）を補正するように設定されている。等化器１０６−１〜１０６−ｎは、入力された受信信号を設定された等化係数に基づいて等化処理を行い、復調器１０７−１〜１０７−１０７−ｎに出力する。なお、等化器１０６−１〜１０６−ｎは、それぞれの等化係数パターンをデータベースに記憶させておき、データベースから等化係数パターンを読み出し、特定の等化器の等化係数を読み出した等化係数パターンに設定することで、それぞれの等化器を実行する構成にすることも可能である。
【００２７】
復調器１０７−１〜１０７−ｎは、等化器１０６−１〜１０６−ｎによって補正されて入力された受信信号を復調し、受信データを復号器１０８−１〜１０８−ｎに出力する。復号器１０８−１〜１０８−ｎは、入力された受信データを復号し、誤り判定器１０９−１〜１０９−ｎに出力する。
【００２８】
誤り判定器１０９−１〜１０９−ｎは、受信データからＣＲＣ等によって付加された誤り検出用の冗長ビットを用いて誤り判定を行い、判定結果を制御器１１０に出力する。また、誤り判定器１０９−１〜１０９−ｎは、判定結果が受信成功の場合、誤り判定器１０９−１〜１０９−ｎからＭＡＣ（Ｍｅｄｉａ  Ａｃｃｅｓｓ  Ｃｏｎｔｒｏｌ）レイヤ以上の上位レイヤ処理部に受信データを出力し、受信失敗の場合、受信データを廃棄する。なお、等化器１０６−１〜１０６−ｎのいずれか２つ以上の出力を、共通の復調器に順次入力し、共通の復号器および誤り判定器において処理することも可能である。
【００２９】
制御器１１０は、所望信号検出器１０４より入力された検出結果に基づいて、受信信号蓄積器１０３に読み出し通知を出力する。また、制御器１１０は、誤り判定器１０９−１〜１０９−ｎから入力された判定結果と所望信号検出器１０４より入力された検出結果に基づいて各等化器１０６−１〜１０６−ｎを使用することで、受信成功の判定結果を得た無線システムもしくは無線端末からの信号の検出頻度もしくは検出タイミング、または等化器の受信成功頻度の少なくとも一つを利用し、各等化器１０６−１〜１０６−ｎの使用優先度を算出し、記録する。
【００３０】
ここで、受信成功の判定結果を得た信号の検出頻度とは、特定の等化器を使用することで受信成功の判定結果を得たことがある特定の信号が、一定時間内に検出される数で表される。受信成功の判定結果を得た信号の検出タイミングとは、特定の等化器を使用することで受信成功の判定結果を得たことがある特定の信号が、一定の間隔で検出されるとき、前の信号検出時点から現時点までの時間を検出される間隔で割った余りと検出される間隔の割合で表される。等化器の受信成功頻度とは、一定時間内に特定の等化器が使用されて受信成功の判定結果を得た数で表される。
【００３１】
使用優先度は、例えばこれらの検出頻度、検出タイミング、および受信成功頻度のそれぞれに重みを乗算し、加算することで算出される。また、使用優先度は一定期間毎に更新される。
【００３２】
制御器１１０は、この記録された使用優先度と基準値を比較し、基準値以上の使用優先度の等化器１０６−１〜１０６−ｎを選択するように等化器選択器１０５を制御する。また選択した等化器１０６−１〜１０６−ｎを使用した全ての判定結果が受信失敗であったとき、基準値未満の使用優先度の等化器１０６−１〜１０６−ｎを選択するように等化器選択器１０５を制御し、再度受信信号蓄積器１０３に読み出し通知を出力する。
【００３３】
等化器１０６−１〜１０６−ｎ、復調器１０７−１〜１０７−ｎ、復号器１０８−１〜１０８−ｎ、および誤り判定器１０９−１〜１０９−ｎは、異なる無線システムに対応しており、制御器１１０は、所望信号検出器１０４により検出された所望信号の検出結果から一つあるいは複数の無線システムを推定し、等化器選択器１０５を制御し、推定した無線システムに対応する等化器１０６−１〜１０６−ｎを選択させることも可能である。
【００３４】
図２は、本発明の第１実施形態の処理手順を示すフローチャートである。図２において、アンテナ１００より信号が受信されると、ＲＦ部１０１はこの受信信号をベースバンド信号に変換し、ベースバンド信号に変換した受信信号を、ＡＤ変換部１０２よりデジタル信号に変換する（ステップＳ１０１）。受信信号蓄積器１０３は、デジタル信号に変換した受信信号を蓄積する（ステップＳ１０２）。受信信号蓄積器１０３は蓄積した信号を所望信号検出器１０４に出力し、所望信号検出器１０４では、所望信号の有無あるいは到来タイミングを検出する（ステップＳ１０３）。所望信号検出器１０４は、所望信号が検出されたかどうかを判定し（ステップＳ１０４）、所望信号が検出されると、検出結果を制御器１１０に出力し、所望信号が検出されないときは、処理を終了する。
【００３５】
制御器１１０に検出結果が入力されると、制御器１１０は、等化器１０６−１〜１０６−ｎのうち使用優先度が基準値以上の等化器を選択するように等化器選択器１０５を制御する（ステップＳ１０５）。制御器１１０は、受信信号蓄積器１０３に受信信号読み出し通知を出力し、受信信号蓄積器１０３は受信信号を読み出す（ステップＳ１０６）。この読み出された受信信号は、等化器１０６−１〜１０６−ｎのうち等化器選択器１０５より選択された等化器に入力される。各等化器１０６−１〜１０６−ｎは、入力された受信信号の等化処理を行い（ステップＳ１０７）、復調器１０７−１〜１０７−ｎは、それぞれの等化器１０６−１〜１０６−ｎにより等化された受信信号を復調し、復号器１０８−１〜１０８−ｎは受信データを復号する（ステップＳ１０８）。誤り判定器１０９−１〜１０９−ｎは、復号された受信データの誤り判定用の冗長ビットを利用して、受信データに誤りが含まれるか判定する（ステップＳ１０９）。誤り判定器１０９−１〜１０９−ｎにおいて、誤りがなく受信成功と判定された受信データが一系列でもあれば、受信成功した受信データは、ＭＡＣレイヤ以上の上位レイヤ処理部に出力される。また、誤り判定器１０９−１〜１０９−ｎにおける判定結果は、制御器１１０に出力され、制御器１１０は、入力された一つ以上の判定結果のうち少なくとも一つの受信成功の判定結果があるかどうかを判定する（ステップＳ１１０）。
【００３６】
ステップＳ１１０において、一つも受信成功の判定結果がなく、受信失敗と判定されたとき、制御器１１０は、現在選択している等化器の使用優先度が基準値以上か判断する（ステップＳ１１１）。使用優先度が基準値以上の場合、制御器１１０は、等化器選択器１０５を制御し、等化器１０６−１〜１０６−ｎのうちで、使用優先度が基準値未満の等化器を選択する（ステップＳ１１２）。その後、ステップＳ１０６〜ステップＳ１１０を再び実施し、ステップＳ１１０において一つでも受信成功の判定結果がある場合、または、一つも受信成功の判定結果がなく、ステップＳ１１１より選択している等化器の使用優先度が基準値未満の場合、制御器１１０に入力された各等化器を使用したときの判定結果に基づいて、各等化器１０６−１〜１０６−ｎの使用優先度を算出し、記録する（ステップＳ１１３）。
【００３７】
このように、本発明の第１の実施形態では、選択された各等化器１０６−１〜１０６−ｎを使用したときの受信データの誤り判定結果をフィードバックし、フィードバックされた受信データの誤り判定結果に基づいて使用優先度を算出し、使用優先度が高い、すなわち、受信成功の可能性が高い等化特性の等化器を優先的に使用している。これにより、演算時間の増加を抑えつつ、全ての等化器を使用するよりも演算量を低減することができる。また、あらかじめ様々な信号の歪みに対応した異なる等化特性を持つ複数の等化器を用意しておくことで、信号の歪みを推定するためのトレーニングができない無線信号に対しても、可能な限り信号の歪みを補正することができる。
【００３８】
Ｂ．第２実施形態
次に、本発明の第２の実施形態について説明する。本発明の第２の実施形態は、等化器を選択する際に、優先順位の最上位の等化器から順に使用することで、送信頻度の高い無線システムあるいは無線端末からの送信信号に対して、受信成功の可能性が高い等化特性を持つ等化器を優先して使用できるようにしている。本発明の第２実施形態の受信装置の構成は、図１に示す第１実施形態と同様であるが、制御器１１０における動作が第１実施形態と異なっている。
【００３９】
つまり、本発明の第２の実施形態においては、制御器１１０は、受信信号検出時には、この優先順位の最上位から順に等化器１０６−１〜１０６−ｎを選択するように等化器選択器１０５を制御し、受信信号蓄積器１０３に読み出し通知を出力する。これにより、受信信号蓄積器１０３から受信信号が読み出され、選択された等化器１０６−１〜１０６−ｎで受信信号が等化され、復調器１０７−１〜１０７−ｎで受信信号が復調され、復号器１０８−１〜１０８−ｎで受信データが復号される。そして、誤り判定器１０９−１〜１０９−ｎにより誤りが検出され、この誤り判定結果が制御器１１０に通知される。この誤り判定器の判定結果が全て受信失敗であった場合、制御器１１０は、優先順位に従い、等化器１０６−１〜１０６−ｎのうち次の優先順位の等化器を少なくとも一つ選択するように等化器選択器１０５を制御し、等化、復調、復号、誤り判定の一連の処理を再度実施する。なお、未選択で選択可能な等化器がない場合、または一連の処理を１回以上Ｎ回繰り返した場合に処理を終了する。これにより、優先順位の最上位の等化器から順に等化器１０６−１〜１０６−ｎが使用される。
【００４０】
図３は、第２実施形態の処理手順を示すフローチャートである。なお、ステップＳ２０１〜ステップＳ２０４までの処理は、図２に示した第１の実施形態のステップＳ１０１〜ステップＳ１０４までの処理と同様であり、その説明は省略する。
【００４１】
図３において、ステップＳ２０４より所望信号が検出された場合、制御器１１０は、所望信号検出器１０４より出力された検出結果を受けて、優先順位を示すｋに１を代入し（ステップＳ２０５）、優先順位がｋ番目（Ｓ２０５の後は１番目）の一つ以上の等化器を選択するように等化器選択器１０５を制御する（ステップＳ２０６）。その後、制御器１１０は受信信号蓄積器１０３に読み出し通知を出力する。ステップＳ２０４で、所望信号が検出されないときは、処理を終了する。
【００４２】
制御器１１０からの読み出し通知を受けると、受信信号蓄積器１０３は受信信号を読み出し（ステップＳ２０７）、選択された等化器１０６−１〜１０６−ｎは受信信号の等化処理を行い（ステップＳ２０８）、復調器１０７−１〜１０７−ｎは等化された受信信号を復調し、復号器１０８−１〜１０８−ｎは受信データを復号する（ステップＳ２０９）。誤り判定器１０９−１〜１０９−ｎは、復号された受信データの誤り判定用の冗長ビットを利用して、受信データに誤りが含まれるか判定する（ステップＳ２１０）。
【００４３】
誤り判定器１０９−１〜１０９−ｎにおいて、誤りがなく受信成功と判定された受信データが一系列でもあれば、受信成功した受信データがＭＡＣレイヤ以上の上位レイヤ処理部に出力される。また、誤り判定器１０９−１〜１０９−ｎにおける判定結果は、制御器１１０に出力され、制御器１１０は入力された一つ以上の判定結果のうち少なくとも一つの受信成功の判定結果があるかどうかを判定する（ステップＳ２１１）。
【００４４】
ステップＳ２１１において、選択された等化器を使用した時の判定結果が、全て受信失敗の判定結果の場合、制御器１１０は、優先順位ｋが優先順位の最下位と同一かどうか判定し（ステップＳ２１２）、優先順位ｋが最下位でない場合、優先順位ｋに１を加え（ステップＳ２１３）、ステップＳ２０６に戻る。そして、制御器１１０は、ステップＳ２１１で一つでも受信成功の判定結果が得られるか、ステップＳ２１２において優先順位ｋが最下位となるまで、Ｓ２０６〜Ｓ２１３を繰り返し実施する。
【００４５】
ステップＳ２１１において誤り判定器１０９−１〜１０９−ｎの判定結果のうち一つでも受信成功の判定結果がある場合、または、ステップＳ２１２において優先順位ｋが最下位の場合、制御器１１０は、ステップＳ２１４において、制御器１１０に入力された各等化器を使用したときの判定結果に基づいて、使用優先度を算出し、算出された使用優先度に基づいて、各等化器の優先順位を更新する（ステップＳ２１５）。
【００４６】
このように、本発明の第２の実施形態では、優先順位の最上位の等化器から順に等化器１０６−１〜１０６−ｎを使用することで、送信頻度の高い無線システムまたは無線端末からの送信信号に対して、等化器１０６−１〜１０６−ｎのうちで受信成功の可能性が高い等化特性を持つ等化器を優先して使用される。これにより、演算量を低減することができる。
【００４７】
Ｃ．第３実施形態
次に、本発明の第３の実施形態について説明する。図４は、本発明の第３実施形態の受信装置の構成例を示すブロック図である。図４に示すように、本発明の第３実施形態に係る受信装置は、アンテナ３００と、ＲＦ部３０１と、ＡＤ変換部３０２と、受信信号蓄積器３０３と、所望信号検出器３０４と、等化器選択器３０５と、等化器３０６−１〜３０６−ｎと、復調器３０７−１〜３０７−ｎと、復号器３０８−１〜３０８−ｎと、誤り判定器３０９−１〜３０９−ｎと、制御器３１０と、信号解析器３１４とを備えている。アンテナ３００、ＲＦ部３０１、ＡＤ変換部３０２、受信信号蓄積器３０３、所望信号検出器３０４、等化器選択器３０５、等化器３０６−１〜３０６−ｎ、復調器３０７−１〜３０７−ｎ、復号器３０８−１〜３０８−ｎ、誤り判定器３０９−１〜３０９−ｎは、図１に示した第１の実施形態におけるアンテナ１００、ＲＦ部１０１、ＡＤ変換部１０２、受信信号蓄積器１０３、所望信号検出器１０４、等化器選択器１０５、等化器１０６−１〜１０６−ｎ、復調器１０７−１〜１０７−ｎ、復号器１０８−１〜１０８−ｎ、誤り判定器１０９−１〜１０９−ｎと同様に構成される。
【００４８】
この第３実施形態の受信装置は、図１に示した第１実施形態の受信装置に対して、信号解析器３１４が設けられている。この信号解析器３１４は、所望信号の周波数特性解析および／または遅延プロファイル解析を行って、制御器３１０に出力している。そして、制御器３１０は、各等化器３０６−１〜３０６−ｎの周波数特性および／または遅延プロファイル特性に関する情報を登録し、信号解析器３１４により解析された所望信号の周波数特性および／または遅延プロファイル特性と、各等化器３０６−１〜３０６−ｎの周波数特性および／または遅延プロファイル特性との相関値を算出している。この相関値は、等化器３０６−１〜３０６−ｎを選出する際に使用される。
【００４９】
つまり、本発明の第３の実施形態では、所望信号検出器３０４は、受信信号の電力、周波数特性、相関値のうち少なくとも一つを用いて所望信号を検出し、検出結果を制御器１１０に出力する。また、所望信号が検出されたとき、所望信号検出器３０４は、検出結果を制御器３１０に出力すると共に、信号解析器３１４に出力する。
【００５０】
信号解析器３１４は、入力された受信信号をフーリエ変換して、受信信号の周波数特性を取得する。その周波数特性と検出された所望信号の情報より、あらかじめ準備した信号と占有帯域の関係を記録したリストを参照し、少なくとも一つの所望信号の周波数特性を取得する。また、取得した周波数特性の振幅スペクトルおよび位相スペクトルを用いて逆フーリエ変換し、遅延プロファイルを取得する。取得した所望信号の周波数特性あるいは遅延プロファイルのうちのを少なくとも一つを制御器３１０に出力する。
【００５１】
制御器３１０は、所望信号検出器３０４より入力された検出結果に基づいて、受信信号蓄積器３０３に読み出し通知を出力する。また、誤り判定器３０９−１〜３０９−ｎから入力された判定結果と所望信号検出器３０４より入力された検出結果に基づいて各等化器を使用することで受信成功の判定結果を得た無線システムもしくは無線端末からの信号の検出頻度もしくは検出タイミング、または各等化器の受信成功頻度の少なくとも一つを利用し、各等化器の使用優先度を算出し、記録する。
【００５２】
制御器３１０は、この記録された使用優先度と基準値を比較し、基準値以上の使用優先度の等化器３０６−１〜３０６−ｎを選出する。そして、制御器３１０は、等化器３０６−１〜３０６−ｎのうち選出された等化器が補正可能な信号の周波数特性および／または遅延プロファイルと、信号解析器３１４から入力された所望信号の周波数特性および／または遅延プロファイルとの相関値を算出し、算出した相関値と基準値を比較し、相関値が基準値以上の等化器を選択する。そして、制御器３１０は、選択した等化器を使用した全ての判定結果が受信失敗であったとき、基準値未満の使用優先度の等化器３０６−１〜３０６−ｎの中で、補正可能な信号の周波数特性および／または遅延プロファイルと信号解析器３１４から入力された所望信号の周波数特性および／または遅延プロファイルとの相関値が基準値以上の等化器を選択するように等化器選択器３０５を制御し、再度受信信号蓄積器３０３に読み出し通知を出力する。
【００５３】
図５は、本発明の第３の実施形態の処理手順を示すフローチャートである。図５において、アンテナ３００より信号が受信されると、ＲＦ部３０１は受信信号をベースバンド信号に変換し、ＡＤ変換部３０２はベースバンド信号に変換した受信信号をデジタル信号に変換する（ステップＳ３０１）。受信信号蓄積器３０３は、デジタル信号に変換した受信信号を蓄積する（ステップＳ３０２）。受信信号蓄積器３０３は蓄積した信号は所望信号検出器３０４に出力し、所望信号検出器３０４では、所望信号の有無あるいは到来タイミングを検出する（ステップＳ３０３）。所望信号検出器３０４で、所望信号が検出されたかどうかを判定し（ステップＳ３０４）、所望信号が検出されると、所望信号検出器３０４は、受信信号を信号解析器３１４に出力する。ステップＳ３０４で所望信号が検出されないときは、処理を終了する。
【００５４】
受信信号が信号解析器３１４に出力されると、信号解析器３１４は、受信信号をフーリエ変換し、受信信号の周波数特性を解析し、所望信号の周波数特性を取得する。また、取得した所望信号の周波数特性を逆フーリエ変換し、所望信号の遅延プロファイルを取得する（ステップＳ３０５）。また、制御器３１０に検出結果が入力されると、制御器３１０は、使用優先度が基準値以上の等化器３０６−１〜３０６−ｎを選出する（ステップＳ３０６）。さらに、制御器３１０は、ステップＳ３０６またはステップＳ３１４より選出された等化器が補正可能な信号の周波数特性および／または遅延プロファイルと、ステップＳ３０５より信号解析器３１４より入力された所望信号の周波数特性および／または遅延プロファイルとの相関値を算出する。算出した相関値と基準値を比較して、相関値が基準値以上の等化特性を持つ等化器を選択する（ステップＳ３０７）。
【００５５】
制御器３１０は、受信信号蓄積器３０３に受信信号読み出し通知を出力し、受信信号蓄積器３０３から受信信号を読み出し（ステップＳ３０８）、この受信信号蓄積器３０３から出力された受信信号が等化器選択器３０５より選択された等化器３０６−１〜３０６−ｎに入力される。各等化器３０６−１〜３０６−ｎは、入力された受信信号の等化処理を行い（ステップＳ３０９）、復調器３０７−１〜３０６−ｎはそれぞれの等化器３０６−１〜３０６−ｎにより等化された受信信号を復調し、復号器３０８−１〜３０８−ｎは受信データを復号する（ステップＳ３１０）。誤り判定器３０９−１〜３０９−ｎは、復号された受信データの誤り判定用の冗長ビットを利用して受信データに誤りが含まれるか判定する（ステップＳ３１１）。
【００５６】
誤り判定器３０９−１〜３０９−ｎにおいて、誤りがなく受信成功と判定された受信データが一系列でもあれば、受信成功と判定された受信データをＭＡＣレイヤ以上の上位レイヤ処理部に出力する。また、誤り判定器３０９−１〜３０９−ｎにおける判定結果は、制御器１１０に出力され、制御器１１０では入力された一つ以上の判定結果のうち少なくとも一つの受信成功の判定結果があるかどうかを判定する（ステップＳ３１２）。
【００５７】
ステップＳ３１２において、一つも受信成功の判定結果がなく、受信失敗と判定されたとき、制御器１１０は、現在選択している等化器の使用優先度が基準値以上か判断する（ステップＳ３１３）。使用優先度が基準値以上の場合、制御器３１０は、等化器選択器３０５を制御し、等化器３０６−１〜３０６−ｎのうちで、使用優先度が基準値未満の等化器を選択する（ステップＳ３１４）。その後、ステップＳ３０７〜ステップＳ３１２を再び実施する。
【００５８】
ステップＳ３１２において一つでも受信成功の判定結果がある場合、または、一つも受信成功の判定結果がなく、ステップＳ３１３より選択している等化器の使用優先度が基準値以上ではない場合、制御器３１０に入力された各等化器を使用したときの判定結果に基づいて、各等化器の使用優先度を算出し、記録する（ステップＳ３１５）。
【００５９】
このように、本発明の第３の実施形態は、使用優先度が高く、受信成功の可能性が高い等化特性を持つ等化器の中から、さらに検出した所望信号の歪みを補正できる可能性が高い等化器を選択して使用することができ、演算量を低減することができる。
【００６０】
Ｄ．第４実施形態
次に、本発明の第４の実施形態について説明する。図６は、本発明の第４実施形態による受信装置の構成を示すブロック図である。図６に示すように、本発明の第４実施形態に係る受信装置は、アンテナ４００と、ＲＦ部４０１と、ＡＤ変換部４０２と、受信信号蓄積器４０３と、所望信号検出器４０４と、等化器選択器４０５と、固定等化器４０６−１〜４０６−ｎと、復調器４０７−１〜４０７−ｎと、復号器４０８−１〜４０８−ｎと、誤り判定器４０９−１〜４０９−ｎと、制御器４１０と、適応等化器４５６と、復調器４５７と、復号器４５８と、誤り判定器４５９とを備えている。アンテナ４００、ＲＦ部４０１、ＡＤ変換部４０２、受信信号蓄積器４０３、所望信号検出器４０４、等化器選択器４０５、等化器４０６−１〜４０６−ｎ、復調器４０７−１〜４０７−ｎ、復号器４０８−１〜４０８−ｎ、誤り判定器４０９−１〜４０９−ｎは、図１に示した第１の実施形態におけるアンテナ１００、ＲＦ部１０１、ＡＤ変換部１０２、受信信号蓄積器１０３、所望信号検出器１０４、等化器選択器１０５、等化器１０６−１〜１０６−ｎ、復調器１０７−１〜１０７−ｎ、復号器１０８−１〜１０８−ｎ、誤り判定器１０９−１〜１０９−ｎと同様に構成される。
【００６１】
この第４の実施形態では、図１に示した第１の実施形態に対して、さらに適応等化器４５６が設けられ、この適応等化器４５６の次段に、復調器４５７、復号器４５８、誤り判定器４５９が設けられている。適応等化器４５６は、適応制御によりその特性を設定できる。適応等化器４５６としては、送信する無線端末の無線システムが受信装置側に既知のトレーニング信号を有する、あるいは、使用する信号内に受信装置側に既知のトレーニング区間を有する無線システムであれば、信号の歪みを推定するためにトレーニングを行う適応等化器を利用し、既知信号あるいは信号内の既知区間を利用したトレーニングができない無線システムであれば、信号の統計的性質を利用して信号の歪みを推定するブラインド適応等化器を利用する。適応等化器４５６では、推定された歪みに基づいてＦＩＲフィルタあるいはＩＩＲフィルタの等化係数が設定され、受信信号の歪みを補正する。
【００６２】
制御器４１０は、所望信号検出器４０４より入力された検出結果に基づいて、受信信号蓄積器４０３に読み出し通知を出力する。また、誤り判定器４０９−１〜４０９−ｎから入力された判定結果と所望信号検出器４０４より入力された検出結果に基づいて、各等化器を使用することで受信成功の判定結果を得た無線システムもしくは無線端末からの信号の検出頻度もしくは検出タイミング、または各等化器の受信成功頻度の少なくとも一つを利用し、各等化器の使用優先度を算出し、記録する。制御器４１０は、この記録された使用優先度と基準値を比較し、基準値以上の使用優先度の固定等化器４０６−１〜４０６−ｎを選択するように等化器選択器４０５を制御する。そして選択した固定等化器４０６−１〜４０６−ｎを使用した全ての判定結果が受信失敗であったとき、基準値未満の使用優先度の固定等化器４０６−１〜４０６−ｎを選択するように等化器選択器４０５を制御し、再度受信信号蓄積器４０３に読み出し通知を出力する。
【００６３】
さらに、本発明の第４の実施形態においては、選択した基準値未満の使用優先度の固定等化器４０６−１〜４０６−ｎを使用した全ての判定結果が受信失敗であったとき、適応等化器４５６を選択するように等化器選択器４０５を制御し、再度受信信号蓄積器４０３に読み出し通知を出力する。そして、誤り判定器４５９より受信成功の判定結果が入力されたとき、制御器４１０は、固定等化器生成通知を適応等化器４５６に出力する。
【００６４】
適応等化器４５６は、制御器４１０からの固定等化器生成通知を受けると、適応等化器４５６の等化係数が設定されたＦＩＲフィルタあるいはＩＩＲフィルタを複製し、固定等化器を生成する。生成した固定等化器は、復調器４５７と復号器４５８と誤り判定器４５９の複製である復調器と復号器と誤り判定器と共に追加される。または、生成した固定等化器の出力先を既存の復調器に設定し、復調器と復号器と誤り判定器を共同で利用することも可能である。
【００６５】
さらに固定等化器の追加方法としては、あらかじめ用意しておいた固定等化器４０６−１〜４０６−ｎのうち未使用かつ未設定の固定等化器の等化係数を適応等化器４５６の等化係数に設定することや、使用中の固定等化器のうち使用優先度が低い固定等化器の等化係数を適応等化器４５６の等化係数で上書きすることや、適応等化器４５６の等化係数を等化係数パターンのデータベースに登録し、固定等化器の等化係数として読み出して利用することなどが考えられる。
【００６６】
図７は、本発明の第４の実施形態の動作手順を示すフローチャートである。図７において、アンテナ４００より信号が受信されると、ＲＦ部４０１は受信信号をベースバンド信号に変換し、ＡＤ変換部４０２はベースバンド信号に変換した受信信号をデジタル信号に変換する（ステップＳ４０１）。受信信号蓄積器４０３は、デジタル信号に変換した受信信号を蓄積し（ステップＳ４０２）、蓄積した信号を所望信号検出器４０４に出力する。所望信号検出器４０４は、所望信号の有無あるいは到来タイミングを検出し、所望信号が検出されたかどうかを判定し（ステップＳ４０４）、所望信号が検出されたとき、検出結果を制御器４１０に出力し、所望信号が検出されないときは、処理を終了する。
【００６７】
検出結果が入力されると、制御器４１０は、使用優先度が基準値以上の等化器４０６−１〜４０６−ｎを選択するように等化器選択器４０５を制御する（ステップＳ４０５）。制御器４１０は、受信信号蓄積器４０３に受信信号読み出し通知を出力し、受信信号蓄積器４０３から出力された受信信号が等化器選択器４０５より選択された等化器４０６−１〜４０６−ｎに入力される（ステップＳ４０６)。各等化器４０６−１〜４０６−ｎは、入力された受信信号の等化処理を行い（ステップＳ４０７）、復調器４０７−１〜４０７−ｎは、それぞれの等化器４０６−１〜４０６−ｎにより等化された受信信号を復調し、復号器４０８−１〜４０８−ｎは、受信データを復号する（ステップＳ４０８）。誤り判定器４０９−１〜４０９−ｎは、復号された受信データの誤り判定用の冗長ビットを利用して受信データに誤りが含まれるか判定する（ステップＳ４０９）。
【００６８】
誤り判定器４０９−１〜４０９−ｎにおいて、誤りがなく受信成功と判定された受信データが一系列でもあれば、受信が成功した受信データをＭＡＣレイヤ以上の上位レイヤ処理部に出力する。また、誤り判定器４０９−１〜４０９−ｎにおける判定結果は、制御器４１０に出力され、制御器４１０は入力された一つ以上の判定結果のうち少なくとも一つの受信成功の判定結果があるかどうかを判定する（ステップＳ４１０）。ステップＳ４１０において、一つも受信成功の判定結果がなく、受信失敗と判定されたとき、現在選択している等化器の使用優先度が基準値以上か判断する（ステップＳ４１１）。
【００６９】
使用優先度が基準値以上の場合、制御器４１０は、等化器選択器４０５を制御し、等化器４０６−１〜４０６−ｎのうちで、使用優先度が基準値未満の等化器を選択する（ステップＳ４１２）。その後、ステップＳ４０６〜ステップＳ４１０を再び実施する。ステップＳ４１０において一つでも受信成功の判定結果がある場合、制御器４１０に入力された各等化器を使用したときの判定結果に基づいて、各等化器の使用優先度を算出し、記録する（ステップＳ４１３）。
【００７０】
ステップＳ４１１において、選択した等化器の使用優先度が基準値未満の場合、制御器４１０は、適応等化器４５６を選択するために等化器選択器４０５を制御する（ステップＳ４１４）。等化器選択器４０５の制御後、制御器４１０は、受信信号蓄積器４０３に読み出し通知を出力し、読み出し通知を入力された受信信号蓄積器４０３は、受信信号を等化器選択器４０５に出力する（ステップＳ４１５）。等化器選択器４０５は、入力された受信信号を適応等化器４５６に出力し、適応等化器４５６は入力された受信信号を等化する（ステップＳ４１６）。復調器４５７は、等化された受信信号を復調し、復号器４５８は受信データを復号し（ステップＳ４１７）、誤り判定器４５９は復号された受信データの誤りを判定し（ステップＳ４１８）、判定結果を制御器４１０に出力する。
【００７１】
誤り判定器４５９において、受信成功かどうかを判定し（ステップＳ４１９）、受信成功の場合、入力された受信データをＭＡＣレイヤ以上の上位レイヤ処理器に出力する。そして、受信成功の場合には、制御器４１０は、適応等化器４５６に固定等化器生成通知を出力し、適応等化器４５６は、固定等化器生成通知が入力されると、自身の等化係数と同一の等化係数に設置した固定等化器を持つ固定等化器を生成して、追加する（ステップＳ４２０）。ステップＳ４２０において固定等化器が生成され、追加された場合、あるいは、ステップＳ４１９において制御器４１０に入力された判定結果が受信失敗だった場合、各固定等化器の使用優先度を算出する（ステップＳ４２１）。
【００７２】
このように、本発明の第４の実施形態は、適応等化器により補正可能な無線システムに対して、適応等化器を利用して受信成功の可能性の高い固定等化器を生成し、追加することができるため、異なる等化特性の複数の等化器を必ずしも用意する必要がなく、あらかじめ用意することで使用することになる受信成功の可能性の低い固定等化器にかかる演算量を削減することができる。
【００７３】
Ｅ．第５実施形態
次に、本発明の第５の実施形態について説明する。図８は、本発明の第５の実施形態を示すブロック図である。図８に示すように、本発明の第５実施形態に係る受信装置は、アンテナ５００と、ＲＦ部５０１と、ＡＤ変換部５０２と、受信信号蓄積器５０３と、所望信号検出器５０４と、等化器選択器５０５と、固定等化器５０６−１〜５０６−ｎと、復調器５０７−１〜５０７−ｎと、復号器５０８−１〜５０８−ｎと、誤り判定器５０９−１〜５０９−ｎと、制御器５１０と、適応等化器５５６と、復調器５５７と、復号器５５８と、誤り判定器５５９と、再符号化器５６０と、再変調器５６１とを備えている。アンテナ５００、ＲＦ部５０１、ＡＤ変換部５０２、受信信号蓄積器５０３、所望信号検出器５０４、等化器選択器５０５、固定等化器５０６−１〜５０６−ｎ、復調器５０７−１〜５０７−ｎ、復号器５０８−１〜５０８−ｎ、誤り判定器５０９−１〜５０９−ｎ、適応等化器５５６、復調器５５７、復号器５５８、誤り判定器５５９は、図６に示した第４の実施形態におけるアンテナ４００、ＲＦ部４０１、ＡＤ変換部４０２、受信信号蓄積器４０３、所望信号検出器４０４、等化器選択器４０５、等化器４０６−１〜４０６−ｎ、復調器４０７−１〜４０７−ｎ、復号器４０８−１〜４０８−ｎ、誤り判定器４０９−１〜４０９−ｎ、適応等化器４５６、復調器４５７、復号器４５８、誤り判定器４５９と同様に構成される。
【００７４】
この実施形態では、前述の第４の実施形態に対して、再符号化器５６０および再変調器５６１が追加されている。この実施形態では、一度正しく復号された受信データを再符号化し、再変調して生成した参照信号と蓄積された受信信号を利用し、より受信成功の可能性が高い等化特性を持つ固定等化器を追加することができる。
【００７５】
この実施形態では、前述の第４の実施形態と同様に、選択した基準値未満の使用優先度の固定等化器５０６−１〜５０６−ｎを使用した全ての判定結果が受信失敗であったとき、適応等化器５５６を選択するように等化器選択器５０５を制御し、再度受信信号蓄積器５０３に読み出し通知を出力する。そして、誤り判定器５５９より受信成功の判定結果が入力されたとき、制御器５１０は、固定等化器生成通知を適応等化器５５６に出力し、読み出し通知を受信信号蓄積器５０３に出力する。
【００７６】
再符号化器５６０は、受信データが入力されると、復号器５５８で復号に利用している符号化方式と同様な符号化方式を用いて、受信データを再符号化し、再変調器５６１に出力する。再変調器５６１は、復調器５５７で復調に利用している変調方式と同様な変調方式で、この受信データを再変調して参照信号を生成し、適応等化器５５６に出力する。適応等化器５５６は、この参照信号をトレーニング信号として用いて、適応制御により、等化係数を求める。なお、ここでは受信信号の無線システムに応じて、波形整形フィルタに通したあとに適応等化器５５６に出力することも考えられる。
【００７７】
図９は、本発明の第５の実施形態の処理手順を示すフローチャートである。図９において、アンテナ５００より信号が受信されると、ＲＦ部５０１はベースバンド信号に変換し、ＡＤ変換部５０２はベースバンド信号に変換した受信信号をデジタル信号に変換する（ステップＳ５０１）。受信信号蓄積器５０３は、デジタル信号に変換した受信信号を蓄積する（ステップＳ５０２）。受信信号蓄積器５０３は蓄積した信号を所望信号検出器５０４に出力し、所望信号検出器５０４は、所望信号の有無あるいは到来タイミングを検出する（ステップＳ５０３）。所望信号検出器５０４は、所望信号が検出されたかどうかを判定し（ステップＳ５０４）、所望信号が検出されると、検出結果を制御器１１０に出力する。制御器５１０に検出結果が入力されると、制御器５１０は、使用優先度が基準値以上の固定等化器５０６−１〜５０６−ｎを選択するように等化器選択器５０５を制御する（ステップＳ５０５）。ステップＳ５０４で、所望信号が検出されないときは、処理を終了する。
【００７８】
制御器５１０は受信信号蓄積器５０３に受信信号読み出し通知を出力し、受信信号蓄積器５０３から出力された受信信号は、等化器選択器５０５より選択された固定等化器５０６−１〜５０６−ｎに入力される（ステップＳ５０６)。各固定等化器５０６−１〜５０６−ｎは、入力された受信信号に対して等化処理を行い（ステップＳ５０７）、復調器５０７−１〜５０７−ｎはそれぞれの固定等化器５０６−１〜５０６−ｎにより等化された受信信号を復調し、復号器５０８−１〜５０８−ｎは受信データを復号する（ステップＳ５０８）。誤り判定器５０９−１〜５０９−ｎは、復号された受信データの誤り判定用の冗長ビットを利用して受信データに誤りが含まれるか判定する（ステップＳ５０９）。
【００７９】
誤り判定器５０９−１〜５０９−ｎにおいて、誤りがなく受信成功と判定された受信データが一系列でもあれば、受信が成功した受信データをＭＡＣレイヤ以上の上位レイヤ処理部に出力する。また、誤り判定器５０９−１〜５０９−ｎにおける判定結果は、制御器５１０に出力され、制御器５１０は入力された一つ以上の判定結果のうち少なくとも一つの受信成功の判定結果があるかどうかを判定する（ステップＳ５１０）。ステップＳ５１０において、一つも受信成功の判定結果がなく、受信失敗と判定されたとき、現在選択している等化器の使用優先度が基準値以上か判断する（ステップＳ５１１）。
【００８０】
使用優先度が基準値以上の場合、制御器５１０は、等化器選択器５０５を制御し、固定等化器５０６−１〜５０６−ｎのうちで、使用優先度が基準値未満の等化器を選択する（ステップＳ５１２）。その後、ステップＳ５０６〜ステップＳ５１０を再び実施する。ステップＳ５１０において一つでも受信成功の判定結果がある場合、制御器５１０に入力された各等化器を使用したときの判定結果に基づいて、各等化器の使用優先度を算出し、記録する（ステップＳ５１３）。
【００８１】
ステップＳ５１１において、選択した等化器の使用優先度が基準値未満の場合、制御器５１０は、適応等化器５５６を選択するために等化器選択器５０５を制御する（ステップＳ５１４）。等化器選択器５０５の制御後、制御器５１０は、信号蓄積器５０３に読み出し通知を出力し、読み出し通知を入力された信号蓄積器５０３は、受信信号を等化器選択器５０５に出力する（ステップＳ５１５）。等化器選択器５０５は、入力された受信信号を適応等化器５５６に出力し、適応等化器５５６は入力された受信信号の等化処理を行い（ステップＳ５１６）、復調器５５７は等化された受信信号を復調し、復号器５５８は受信データを復号する（ステップＳ５１７）。誤り判定器５５９は復号された受信データの誤り判定を行い（ステップＳ５１８）、判定結果を制御器５１０に出力する。また、誤り判定器５５９において判定結果が受信成功の場合、入力された受信データをＭＡＣレイヤ以上の上位レイヤ処理器に出力する。
【００８２】
制御器５１０は、判定結果から受信成功かどうかを判定する（ステップＳ５１９）。ステップＳ５１９において、誤り判定器５５９の判定結果が受信成功だった場合、誤り判定器５５９は受信データを再符号化器５６０に出力する。再符号化器５６０は、復号器４５８で復号に利用した符号化方法を用いて入力された受信データを符号化し、再変調器５６１に出力し、再変調器５６１は、復調器５５７で復調に利用した変調方式を用いて入力された符号化データを変調し、参照信号を生成する（ステップＳ５２０）。生成された参照信号と、受信信号蓄積器５０３に蓄積された受信信号を利用し、信号の歪みを推定するために十分なトレーニングを行い、適応等化器５５６の等化係数を更新する（ステップＳ５２１）。そして、制御器５１０は、適応等化器５５６に固定等化器生成通知を出力し、通知を入力された適応等化器５５６は、自身の等化係数と同一の等化係数に設置した固定等化器を持つ固定等化器を生成して、追加する（ステップＳ５２２）。ステップＳ５２２において固定等化器が生成され、追加された場合、または、ステップＳ５１９において制御器５１０に入力された判定結果が受信失敗だった場合、各固定等化器の使用優先度を算出する（ステップＳ５２３）。
【００８３】
このように、本発明の第５の実施形態は、一度正しく復号された受信データを再符号化、再変調して生成した参照信号と蓄積された受信信号を利用し、より受信成功の可能性が高い等化特性を持つ固定等化器を追加することができる。
【００８４】
Ｆ．第６実施形態
次に、本発明の第６の実施形態について説明する。この実施形態は、図６に示した第４の実施形態において、適応等化器４５６を選択して固定等化器を生成した場合に、固定等化器４０６−１〜４０６−ｎのうち、使用優先度が基準値よりも低い固定等化器を削除するようにしたものである。この実施形態の構成は、図６に示した第４の実施形態（または図８に示した第５の実施形態）と同様である。
【００８５】
この実施形態では、図６における制御器４１０は、適応等化器４５６が選択されたら、固定等化器４０６−１〜４０６−ｎを削減する処理を行う。制御器４１０は、固定等化器４０６−１〜４０６−ｎのそれぞれの使用優先度を算出し、使用されてから一定期間以上経過した固定等化器４０６−１〜４０６−ｎのうち、使用優先度が削除の基準値より低い一つ以上の固定等化器を選択肢から削除する。またはその固定等化器の等化係数パターンをデータベースより削除する。削除された固定等化器の等化係数は、適応等化器４５６により固定等化器を追加する時に、適応等化器４５６の等化係数パターンに更新され、等化器選択器の選択肢に再び追加されることができる。
【００８６】
図１０は、本発明の第６実施形態の処理手順を示すフローチャートである。図１０において、ステップＳ６０１からステップＳ６２１までの処理は、図７に示した第４の実施形態におけるステップＳ４０１からステップＳ４２１までの処理と同様であり、その説明を省略する。
【００８７】
さらに、ステップＳ６２２において、制御器４１０は、算出された使用優先度に基づいて、各固定等化器４０６−１〜４０６−ｎの使用優先度と削除の基準値と比較して削除判定を行う。この判定結果、削除の基準値未満の固定等化器は、等化器選択器５０５で選択可能な等化器の選択肢から削除される（ステップＳ６２３）。
【００８８】
このように、本発明の第６の実施形態では、使用優先度の低い等化器を削除することで、使用する等化器を受信成功の可能性の高い等化器に限定することができ、演算量の増加を防ぐことができる。
【００８９】
Ｇ．第７実施形態
次に、本発明の第７の実施形態について説明する。この実施形態は、前述の第６の実施形態において、固定等化器４０６−１〜４０６−ｎの個数が限度数を超えた場合に、各固定等化器４０６−１〜４０６−ｎの使用記録の検出頻度または受信成功頻度が最も低い固定等化器から順に、固定等化器の個数が限度以下となるように、固定等化器４０６−１〜４０６−ｎを削除するものである。
【００９０】
この実施形態では、図６における制御器４１０は、適応等化器４５６を利用して固定等化器が追加することで、固定等化器の数ｎが限度数Ｎを超えるとき、一定期間以上経過し、使用優先度の低い固定等化器から順に、固定等化器４０６−１〜４０６−ｎの中から１以上の固定等化器を等化器選択器４０５の選択肢から削除する。また、固定等化器の等化係数パターンのデータベースより使用優先度の最も低い固定等化器の等化係数パターンから順に削除する。除去された固定等化器の等化係数は、適応等化器４５６により固定等化器を追加する時に、適応等化器４５６の等化係数パターンに更新され、等化器選択器４０５の選択肢に再び追加されることができる。
【００９１】
図１１は、本発明の第７の実施形態の処理手順を示すフローチャートである。図１１において、ステップＳ７０１からステップＳ７２１までの処理は、図１０に示した第６の実施形態におけるステップＳ６０１からステップＳ６２１までの処理と同様であり、その説明を省略する。
【００９２】
ステップＳ７２２では、制御器４１０は、まず固定等化器の数が受信装置の等化器保持数の限度数Ｎを超えるかどうかを判断し、限度数Ｎを超えていなければ処理を終了し、限度数Ｎ超えた場合には、各固定等化器の削除判定を実施し、使用優先度が最も低いものから順に一つ以上の固定等化器を選択する（ステップＳ７２３）。
【００９３】
このように、本発明の第７の実施形態では、固定等化器の追加に対し、受信成功の可能性の高い等化器を残しつつ、受信装置の等化器保持数の限度数超過や演算量の増加を防ぐことができる。
【００９４】
本発明は、上述した実施形態に限定されるものではなく、この発明の要旨を逸脱しない範囲内で様々な変形や応用が可能である。
【符号の説明】
【００９５】
１００、３００、４００、５００  アンテナ
１０１、３０１、４０１、５０１  ＲＦ部
１０２、３０２、４０２、５０２  ＡＤ変換部
１０３、３０３、４０３、５０３  受信信号蓄積器
１０４、３０４、４０４、５０４  所望信号検出器
１０５、３０５、４０５、５０５  等化器選択器
１０６−１〜１０６−ｎ、３０６−１〜３０６−ｎ  等化器
１０７−１〜１０７−ｎ、３０７−１〜３０７−ｎ、４０７−１〜４０７−ｎ、５０７−１〜５０７−ｎ  復調器
１０８−１〜１０８−ｎ、３０８−１〜３０８−ｎ、４０８−１〜４０８−ｎ、５０８−１〜５０８−ｎ  復号器
１０９−１〜１０９−ｎ、３０９−１〜３０９−ｎ、４０９−１〜４０９−ｎ、５０９−１〜５０９−ｎ  誤り判定器
１１０、３１０、４１０、５１０  制御器
３１４  信号解析器
４０６−１〜４０６−ｎ、５０６−１〜５０６−ｎ  固定等化器
４５６、５５６  適応等化器
４５７、５５７  復調器
４５８、５５８  復号器
４５９、５５９  誤り判定器
５６０  再符号化器
５６１  再変調器
【図１】
2010283667.tif 000003
【図２】
2010283667.tif 000004
【図３】
2010283667.tif 000005
【図４】
2010283667.tif 000006
【図５】
2010283667.tif 000007
【図６】
2010283667.tif 000008
【図７】
2010283667.tif 000009
【図８】
2010283667.tif 000010
【図９】
2010283667.tif 000011
【図１０】
2010283667.tif 000012
【図１１】
2010283667.tif 000013
【図１２】
2010283667.tif 000014